(57)【要約】【課題】ユーザ操作を必要とすることなく、赤外線受光部が消費する電力を低減することが可能な表示装置を提供する。【解決手段】本発明の表示装置が備える照度監視部は、照度センサを用いて照度を監視する。そして照度が所定値を上回った場合に、受光動作制御部が赤外線受光部に対して駆動指示を与る。逆に照度が所定値を下回った場合に、赤外線受光部に対して駆動停止指示を与える。また受光動作制御部は、赤外線受光部に対する指示の内容を周期的に変更するための時間間隔を設定可能である。そして、設定された指示変更タイミングに基づいて、赤外線受光部に与える指示内容を変更する。また受光動作制御部は、照度センサにより検知された照度、又は計時部により計時された現在時刻に基づいて動作モードを変更する。動作モードが変わると、赤外線受光部に対する指示変更タイミングも変化する。【選択図】図１
2010061496.tif 000002
【特許請求の範囲】
【請求項１】
照度を検知する照度センサと、
赤外線を受光することにより赤外線通信を行う赤外線受光部と
を備えた表示装置において、
前記照度センサにより検知された照度が予め定められた値を上回るか否かを判定する照度監視部と、
前記照度監視部による判定結果に基づき、前記赤外線受光部に対して駆動指示又は駆動停止指示を与える受光動作制御部を備えたことを特徴とする表示装置。
【請求項２】
前記照度センサが前記表示装置の外面に設けられており、
前記照度監視部が、前記照度センサを用いて前記表示装置外面に対する照度を監視し、前記照度が予め定められた値を上回るか否かを判定し、
前記受光動作制御部が、前記照度監視部により前記照度が予め定められた値を上回ると判定された場合に前記赤外線受光部に対して駆動指示を与え、前記照度監視部により前記照度が予め定められた値を上回らないと判定された場合に前記赤外線受光部に対して駆動停止指示を与えることを特徴とする請求項１に記載の表示装置。
【請求項３】
前記照度センサが前記表示装置の外面に設けられており、
前記照度監視部が、前記照度センサを用いて前記表示装置外面に対する照度を監視し、前記照度が予め定められた値を上回るか否かを判定し、
前記受光動作制御部が、前記照度監視部により前記照度が予め定められた値を上回ると判定された場合に前記赤外線受光部に対して駆動停止指示を与え、前記照度監視部により前記照度が予め定められた値を上回らないと判定された場合に前記赤外線受光部に対して駆動指示を与えることを特徴とする請求項１に記載の表示装置。
【請求項４】
前記受光動作制御部が、前記赤外線受光部に対する指示の内容を周期的に変更するための時間間隔の指定を受け付け、前記時間間隔により生成した指示変更タイミングに基づいて、前記赤外線受光部に対して駆動指示又は駆動停止指示を与えること
を特徴とする請求項１に記載の表示装置。
【請求項５】
前記受光動作制御部が、前記照度センサにより検知された照度が予め定められた値を上回る場合に第一動作モードで動作し、前記照度センサにより検知された照度が予め定められた値を上回らない場合に第二動作モードで動作するとともに、
前記第一動作モードにおける前記指示変更タイミングと、前記第二動作モードにおける前記指示変更タイミングとを含む複数の前記指示変更タイミングを備えていること
を特徴とする請求項４に記載の表示装置。
【請求項６】
時刻を計時する計時部を備え、
前記受光動作制御部が、前記計時部により取得された時刻が予め定められた条件を満たす場合に第一動作モードで動作し、前記計時部により取得された時刻が予め定められた条件を満たさない場合に第二動作モードで動作するとともに、
前記第一動作モードにおける前記指示変更タイミングと、前記第二動作モードにおける前記指示変更タイミングとを含む複数の前記指示変更タイミングを備えていること
を特徴とする請求項４に記載の表示装置。
【請求項７】
前記表示装置の外面に設けられた発光部材を含む点滅部と、
前記赤外線受光部が駆動状態である場合に前記点滅部を点灯させ、前記赤外線受光部が駆動停止状態である場合に前記点滅部を消灯させる受光動作通知部とを備えたこと
を特徴とする請求項１〜請求項６のいずれかに記載の表示装置。
【発明の詳細な説明】
【技術分野】
【０００１】
本発明は、デジタル画像データを表示する電子式写真立て（以下、「電子式フォトフレーム」という）として利用される表示装置に関するものであり、特に通信網に接続されて通信可能な表示装置に関する。
【背景技術】
【０００２】
近年、液晶パネル等を用いた薄型の表示装置が広く普及している。このような薄型表示装置は、軽量且つ設置スペースが小さいため、その設置場所や設置角度をユーザが適宜変更できるという利点を持っている。
【０００３】
上記のような薄型表示装置の一つとして、電子式フォトフレームが実用化されている。電子式フォトフレームは、デジタルカメラ等の撮影装置で撮像した画像を、従来の銀塩写真のように気軽に鑑賞できることを目的とした表示装置である。電子式フォトフレームは、例えばＳＤ（Secure Digital）メモリカードのような外部記録媒体や、ＬＡＮ（Local Area Network）等のネットワークを経由して画像データを取り込み、表示することが可能である。
【０００４】
上記に関連して特許文献１においては、電子式フォトフレームのユーザが通信網を介して新たな画像を取得したい場合に、画像送信側のユーザに対して、容易に画像を要求できる電子式フォトフレームが開示されている。
【特許文献１】特開２００２−２７８８６４号公報
【発明の開示】
【発明が解決しようとする課題】
【０００５】
しかしながら特許文献１においては、通信網を介した画像の取得方法については記載されているが、画像の取得が行われていない状態における取得部の省電力に関しては、開示も示唆もなされていない。
【０００６】
電子式フォトフレームは、家庭用電源等の外部電源に接続されて稼働するタイプのものと、内部バッテリにより駆動するタイプのものがある。内部バッテリにより駆動するタイプの場合、その駆動時間には限りがある。従って不要な動作をできるだけ回避することにより、省電力を図ることが望ましい。
【０００７】
上記に関連して、従来の電子式フォトフレームは、赤外線通信によりデータを受信するための赤外線受信部を常に駆動していた。しかしながら、赤外線受光部によりデータを受信する時間と、受信待機を行っている時間とでは、後者の時間が前者の時間よりも圧倒的に長いのが普通である。
【０００８】
従って、データを受信する場合のみ赤外線受光部を駆動させることが望ましい。しかしこれをユーザ操作により手動で実施すると、データ送信の度に赤外線受光部の駆動／駆動停止の切り替え操作が必要となり、ユーザに煩わしさを感じさせるという問題があった。
【０００９】
本発明は、上記の問題を鑑みてなされたものであり、その目的は、ユーザ操作を必要とすることなく赤外線受光部が消費する電力を低減することが可能な表示装置を提供することにある。
【課題を解決するための手段】
【００１０】
上記目的を達成するために本発明の表示装置は、照度を検知する照度センサと、赤外線を受光することにより赤外線通信を行う赤外線受光部とを備えた表示装置において、前記照度センサにより検知された照度が予め定められた値を上回るか否かを判定する照度監視部と、前記照度監視部による判定結果に基づき、前記赤外線受光部に対して駆動指示又は駆動停止指示を与える受光動作制御部を備えたことを特徴としている。
【００１１】
この構成によると、本発明の表示装置は、フォトダイオード等を用いて照度を検知する照度センサと、赤外線によるデータ通信を行う赤外線受光部とを備えている。さらに、照度センサにより検知された照度が所定値を上回るか否かを判定する照度監視部と、赤外線受光部の駆動を制御する受光動作制御部を備えている。受光動作制御部は、照度監視部の判定結果に基づいて、赤外線受光部に対して駆動指示又は駆動停止指示を与えることにより、赤外線受光部の動作を制御する。
【００１２】
また上記目的を達成するために本発明の表示装置は、前記照度センサが前記表示装置の外面に設けられており、前記照度監視部が、前記照度センサを用いて前記表示装置外面に対する照度を監視し、前記照度が予め定められた値を上回るか否かを判定し、前記受光動作制御部が、前記照度監視部により前記照度が予め定められた値を上回ると判定された場合に前記赤外線受光部に対して駆動指示を与え、前記照度監視部により前記照度が予め定められた値を上回らないと判定された場合に前記赤外線受光部に対して駆動停止指示を与えることを特徴としている。
【００１３】
この構成によると、本発明の表示装置は、その外面に照度センサを備えている。照度監視部は照度センサを用いて、表示装置の外面に対する照度を常に監視する。そして照度が所定値を上回った場合に、受光動作制御部が赤外線受光部に対して駆動指示を与る。逆に照度が所定値を下回った場合に、赤外線受光部に対して駆動停止指示を与える。
【００１４】
また上記目的を達成するために本発明の表示装置は、前記照度センサが前記表示装置の外面に設けられており、前記照度監視部が、前記照度センサを用いて前記表示装置外面に対する照度を監視し、前記照度が予め定められた値を上回るか否かを判定し、前記受光動作制御部が、前記照度監視部により前記照度が予め定められた値を上回ると判定された場合に前記赤外線受光部に対して駆動停止指示を与え、前記照度監視部により前記照度が予め定められた値を上回らないと判定された場合に前記赤外線受光部に対して駆動指示を与えることを特徴としている。
【００１５】
この構成によると、本発明の表示装置は、その外面に照度センサを備えている。照度監視部は照度センサを用いて、表示装置の外面に対する照度を常に監視する。そして照度が所定値を上回った場合に、受光動作制御部が赤外線受光部に対して駆動停止指示を与る。逆に照度が所定値を下回った場合に、赤外線受光部に対して駆動指示を与える。
【００１６】
また上記目的を達成するために本発明の表示装置は、前記受光動作制御部が、前記赤外線受光部に対する指示の内容を周期的に変更するための時間間隔の指定を受け付け、前記時間間隔により生成した指示変更タイミングに基づいて、前記赤外線受光部に対して駆動指示又は駆動停止指示を与えることを特徴としている。
【００１７】
この構成によると、受光動作制御部は、赤外線受光部に対する指示の内容を周期的に変更するための時間間隔を、工場出荷時等において受け付けて設定することが可能である。そして、設定された指示変更タイミングに基づいて、赤外線受光部に与える指示内容を変更する。例えば指示変更タイミングを、赤外線受光部が駆動状態となってから二十秒後、駆動停止状態になってから一分後と設定したとする。この場合、赤外線受光部は二十秒間の駆動と、一分間の駆動停止とを交互に繰り返すこととなる。
【００１８】
また上記目的を達成するために本発明の表示装置は、前記受光動作制御部が、前記照度センサにより検知された照度が予め定められた値を上回る場合に第一動作モードで動作し、前記照度センサにより検知された照度が予め定められた値を上回らない場合に第二動作モードで動作するとともに、前記第一動作モードにおける前記指示変更タイミングと、前記第二動作モードにおける前記指示変更タイミングとを含む複数の前記指示変更タイミングを備えていることを特徴としている。
【００１９】
この構成によると、受光動作制御部が、照度センサにより検知された照度が所定値を上回る場合に第一動作モードで動作し、上回らない場合に第二動作モードで動作する。上述の指示変更タイミングは、第一動作モードと第二動作モードとで異なる内容となるように予め設定されている。このため、動作モードが変われば、受光動作制御部が赤外線受光部に対して指示変更を行うタイミングも変化する。
【００２０】
また上記目的を達成するために本発明の表示装置は、時刻を計時する計時部を備え、前記受光動作制御部が、前記計時部により取得された時刻が予め定められた条件を満たす場合に第一動作モードで動作し、前記計時部により取得された時刻が予め定められた条件を満たさない場合に第二動作モードで動作するとともに、前記第一動作モードにおける前記指示変更タイミングと、前記第二動作モードにおける前記指示変更タイミングとを含む複数の前記指示変更タイミングを備えていることを特徴としている。
【００２１】
この構成によると、受光動作制御部が、計時部により計時された現在時刻が所定の条件を満たす場合に第一動作モードで動作し、満たさない場合に第二動作モードで動作する。上述の指示変更タイミングは、第一動作モードと第二動作モードとで異なる内容となるように予め設定されている。このため、動作モードが変われば、受光動作制御部が赤外線受光部に対して指示変更を行うタイミングも変化する。
【００２２】
また上記目的を達成するために本発明の表示装置は、前記表示装置の外面に設けられた発光部材を含む点滅部と、前記赤外線受光部が駆動状態である場合に前記点滅部を点灯させ、前記赤外線受光部が駆動停止状態である場合に前記点滅部を消灯させる受光動作通知部とを備えたことを特徴としている。
【００２３】
この構成によると、本発明の表示部は、その外面にランプ等の点滅部を備えている。さらに、赤外線受光部が駆動状態である場合に点滅部を点灯させ、赤外線受光部が駆動停止状態である場合に点滅部を消灯させる受光動作通知部を備えている。
【発明の効果】
【００２４】
本発明によれば、照度センサにより検知された照度が予め定められた値を上回るか否かを判定し、判定結果に基づいて、赤外線受光部に対する駆動指示内容を決定する。このため、例えば極端に照度が低い場合のように、ユーザが表示装置を閲覧している可能性が低い場合において、ユーザ操作を必要とすることなく赤外線受光部を駆動停止することができるため、消費電力の低減を図ることができる。
【００２５】
また本発明によれば、表示装置外面の照度センサを用いて、表示装置周辺の照度を常に監視する。そして照度が所定値を上回った場合に赤外線受光部を駆動し、下回った場合に赤外線受光部を駆動停止する。このため、ユーザが主に明るい場所で表示装置を使用する使用形態をとっている場合において、表示装置周辺が暗い場合は赤外線受光部を駆動停止するため、消費電力の低減を図ることができる。
【００２６】
また本発明によれば、表示装置外面の照度センサを用いて、表示装置周辺の照度を常に監視する。そして照度が所定値を上回った場合に赤外線受光部を駆動停止し、下回った場合に赤外線受光部を駆動する。このため、ユーザが主に暗い場所で表示装置を使用する使用形態をとっている場合において、表示装置周辺が明るい場合は赤外線受光部を駆動停止するため、消費電力の低減を図ることができる。
【００２７】
また本発明によれば、受光動作制御部は予め定められた指示変更タイミングにより、赤外線受光部に与える指示内容を変更する。これにより例えば、二十秒間の駆動と一分間の駆動停止とを交互に繰り返す等の間欠動作を行うことができる。このため、常に赤外線受光部を駆動している場合と比較して駆動時間が短くなるため、消費電力の低減を図ることができる。
【００２８】
また本発明によれば、照度センサにより検知された照度に基づいて、受光動作制御部の動作モードを変更する。動作モードが変われば、受光動作制御部が赤外線受光部に対して駆動指示の変更を行うタイミングも変化する。このため、動作モードに応じて、赤外線受光部の駆動時間も変化する。このように、照度に応じて省電力を優先するか、或いは駆動時間を優先するかを自動的に切り替えることができるため、利便性が向上する。
【００２９】
また本発明によれば、計時部により取得された時刻に基づいて、受光動作制御部の動作モードを変更する。このため、時刻に応じて省電力を優先するか、或いは駆動時間を優先するかを自動的に切り替えることができるため、利便性が向上する。
【００３０】
また本発明によれば、赤外線受光部が駆動状態である場合に点滅部を点灯させ、赤外線受光部が駆動停止状態である場合に点滅部を消灯させる。このためユーザは、赤外線受光部の駆動状態を容易に確認することができる。
【発明を実施するための最良の形態】
【００３１】
以下に本発明の実施形態を、図面を参照しながら説明する。なお、ここで示す実施形態は一例であり、本発明はここに示す実施形態に限定されるものではない。
［実施の形態１］
〈１−１．内部構成について〉
図２は、本発明の第一の実施形態に係る電子式フォトフレーム１（＝表示装置）の内部構成示すブロック図である。電子式フォトフレーム１は少なくとも、制御部１１、メモリ１２、操作部１３、タッチパネル１４、通信Ｉ／Ｆ（Interface）部１５、通信制御部１６、バッテリ部１７、メモリスロット１８、データ入出力部１９、フラッシュメモリ２０、照度センサ２１、時計回路２２（＝計時部）、及びランプ２３（＝点滅部）を含むように構成されている。またメモリスロット１８に対して外部記録媒体であるメモリカード９０を着脱可能である。
【００３２】
制御部１１は、電子式フォトフレーム１に含まれる各装置の制御を行う。これにより、フラッシュメモリ２０に記録されている画像や、外部より入力した画像の表示処理等を統括制御する。制御部１１は、例えば複数のマイクロプロセッサから構成されている。また制御部１１は、データの計算、加工処理等を行う中枢部分となっている。なお、制御部１１が備える各機能部（図１に示す照度監視部１１ａ〜受光動作通知部１１ｃ）の詳細については後述する。
【００３３】
メモリ１２は、電子式フォトフレーム１が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ１２は制御部１１によって各種処理が行われる際の処理データや、使用者から受けた指示命令等を一時的に記録しておくためのバッファメモリとしての役割を持つ。
【００３４】
操作部１３は、ユーザが電子式フォトフレーム１に対して、画像の切り替え指示やユーザ情報の入力指示等の各種指示を行うためのものである。操作部１３により入力された指示は制御部１１により受け付けられ、指示の内容に基づいて各種制御処理が行われる。操作部１３は例えば、複数の操作ボタンやスイッチ等から構成される。
【００３５】
タッチパネル１４は、ユーザによる接触操作により、電子式フォトフレーム１に対する各種指示を受け付ける。タッチパネル１４は、フラッシュメモリ２０等の記録媒体に記録されている画像を表示するＬＣＤ（Liquid Crystal Display）を備えている。またタッチパネル１４は、ソフトウェアキーボードやアイコン等をＬＣＤに表示することにより、文字情報の入力等を受け付けることが可能である。
【００３６】
通信Ｉ／Ｆ部１５は、電子式フォトフレーム１を通信ネットワークと接続するための物理的なインタフェースである。通信Ｉ／Ｆ部１５は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００３７】
通信制御部１６は、通信Ｉ／Ｆ部１５により接続された外部装置、例えばメールサーバや情報配信サーバ等と相互通信を行うための通信制御を行う。これにより、電子メールの送受信を行ったり、各種情報コンテンツを取得したりすることが可能である。また通信Ｉ／Ｆ部１５が無線アンテナを備える場合、無線通信網を介する無線通信の制御を行う役割も持つ。
【００３８】
バッテリ部１７は、家庭用電源より電力の供給を受けて充電を行うことにより、電子式フォトフレーム１の各部に対して電源電圧を与える。バッテリ部１７は、交流である家庭用電源を直流に変換するＡＣアダプタ（不図示）を接続するための接続端子１７ａ（図５参照）を備えている。接続端子１７ａは、電子式フォトフレーム１の背面側等に設けられている。
【００３９】
バッテリ部１７は、接続端子１７ａ及びＡＣアダプタを用いて充電を行うことにより、家庭用電源から切り離された状態で電子式フォトフレーム１を駆動することが可能である。バッテリ部１７は、例えば充電式アルカリ電池やリチウムイオンバッテリ等を用いて実現する。
【００４０】
メモリスロット１８は、ＳＤメモリカード９０等の外部記録媒体を接続して情報の伝送を行うインタフェースである。ＳＤメモリカード９０には例えば、デジタルカメラで撮影した静止画や動画が記録されている。メモリスロット１８は制御部１１からの指示により、これらのデータをフラッシュメモリ２０にコピーする。これにより、外部から入力した画像をタッチパネル１４に表示することが可能である。
【００４１】
データ入出力部１９は、外部の撮像装置や記録装置を有線或いは無線により接続して画像データや音声データ、又はアドレス帳データ等の入出力を行うためのインタフェースである。データ入出力部１９は例えば、シリアルケーブル接続用ソケットや、赤外線通信を行うためのＩｒＤＡポート１９ａ（＝赤外線受光部、図３参照）、又はＵＳＢ接続端子等を含むように構成されている。
【００４２】
フラッシュメモリ２０は、電子式フォトフレーム１が保持する各種データを記録する不揮発性の記録媒体である。フラッシュメモリ２０は例えば、通信Ｉ／Ｆ部１５により受信した電子メールデータや、データ入出力部１９より入力された画像データ等を記録する。また、電子式フォトフレーム１の設定データや、メールアドレス等の個人データを含むユーザデータを記録する役割を持つ。
【００４３】
照度センサ２１は、例えば光学フィルタを内蔵したフォトトランジスタ等を用いて、電子式フォトフレーム１の周囲に存在する白熱電球、蛍光灯といった各種発光源から受ける光や、屋外より入射する太陽光等の強さを検出する。検出された照度に関する情報は、後述する照度監視部１１ａに与えられる。
【００４４】
時計回路２２は、現在時刻を計時するための回路であり、例えば所定の周波数による発振出力を行う水晶振動子を用いて計時を行う。また時計回路２２は、時刻情報だけではなく、現在の月日や曜日といった暦に関連する暦情報の管理を行うことも可能である。
【００４５】
ランプ２３は、ＬＥＤ等の発光部材を備え、後述する受光動作通知部１１ｃからの指示により点灯、又は消灯のいずれかの状態に移行する。本実施形態では、ＩｒＤＡポート１９ａが駆動状態である場合に点灯、駆動停止している場合に消灯する。これにより、ＩｒＤＡポート１９ａの駆動状態をユーザに通知する。
〈１−２．機能部の構成について〉
ここで、本発明の第一の実施形態に係る電子式フォトフレーム１の画像表示処理を実施するための各機能部の関係を、図１の機能ブロック図を用いながら説明する。
【００４６】
図１に示すように本発明の画像表示処理は少なくとも、制御部１１が備える照度監視部１１ａ、受光動作制御部１１ｂ、及び受光動作通知部１１ｃと、データ入出力部１９と、照度センサ２１と、ランプ２３とにより実現される。
【００４７】
照度監視部１１ａは、照度センサ２１を用いて、常に電子式フォトフレーム１周辺の照度を測定する。そして照度が所定値を下回ったこと、及び所定値を上回ったことを検知した場合に、検知結果に基づく通知を、次の受光動作制御部１１ｂに対して与える。
【００４８】
受光動作制御部１１ｂは、照度監視部１１ａより上記の通知を受けた際に、照度センサ２１の動作を制御する。具体的には、所定値を下回ったことを示す通知を受けた場合は、照度センサ２１を駆動状態から非駆動状態へ移行させる。また所定値を上回ったことを示す通知を受けた場合は、照度センサ２１を非駆動状態から駆動状態へ移行させる。状態の移行を行った場合、次の受光動作通知部１１ｃに対して、状態遷移通知を与える。
【００４９】
受光動作通知部１１ｃは、受光動作制御部１１ｂより上記の状態遷移通知を受けた際に、ランプ２３の動作を制御する。具体的には、非駆動状態へ移行したことを示す状態遷移通知を受けた場合は、ランプ２３を消灯させる。また駆動状態へ移行したことを示す状態遷移通知を受けた場合は、ランプ２３を点灯させる。
〈１−３．電子式フォトフレームの外観について〉
ここで、本発明の第一の実施形態に係る電子式フォトフレーム１の外観を、図３の正面図、図４の上面図、及び図５の背面図を用いながら説明する。
【００５０】
図３は、電子式フォトフレーム１の前面に備えられた各装置部の一例を示したブロック図である。図３に示すように電子式フォトフレーム１の前面は、タッチパネル１４、ＩｒＤＡポート１９ａ、及びランプ２３を含むように構成されている。また図４は、電子式フォトフレーム１の上面に備えられた各装置部の一例を示したブロック図である。図４に示すように電子式フォトフレーム１の上面は、メモリスロット１８を備えている。
【００５１】
図５は、電子式フォトフレーム１の背面に備えられた各装置部の一例を示したブロック図である。図５に示すように電子式フォトフレーム１の背面は、通信Ｉ／Ｆ部１５が備えるＬＡＮコネクタ１５ａ、バッテリ部１７が備える接続端子１７ａ、及び支持用脚部３１を備えている。ＬＡＮコネクタ１５ａはＬＡＮケーブルを接続することにより、電子式フォトフレーム１をネットワークに接続するための接続端子である。接続端子１７ａはＡＣアダプタを接続し、ＡＣアダプタを介して家庭用電源から電力の供給を受けるためのものである。
【００５２】
支持用脚部３１は、電子式フォトフレーム１に回動自在に設けられ、電子式フォトフレーム１を背後から支持するための部材である。支持用脚部３１は、電子式フォトフレーム１の表面の傾斜を急にしたり、又は緩やかにしたり、適宜調節可能な構成をしている。また支持用脚部３１は回動することにより、電子式フォトフレーム１の上下の向きを変更することが可能である。
〈１−４．受光動作制御処理について〉
ここで、本発明の第一の実施形態に係る電子式フォトフレーム１の受光動作制御処理を、図１〜図５のブロック図と図６のフロー図とを用いながら説明する。
【００５３】
図６は、本発明に係る受光動作制御処理の処理フローを示したフローチャートである。本処理は、電子式フォトフレーム１の主電源が起動された場合に開始される。
【００５４】
本処理の開始後、照度監視部１１ａはステップＳ１１０において、照度センサ２１により電子式フォトフレーム１周辺の照度の測定を行う。次に照度監視部１１ａはステップＳ１２０において、測定された照度の値が所定値を上回るか否かを判定する。
【００５５】
所定値を上回る場合、この判定結果を、受光動作制御部１１ｂに与える。判定結果を受けた受光動作制御部１１ｂはステップＳ１２１において、データ入出力部１９に含まれるＩｒＤＡポート１９ａの駆動を行う。駆動が実施されると、受光動作通知部１１ｃはステップＳ１２２において、ランプ２３を点灯させた後、ステップＳ１１０に移行する。
【００５６】
ステップＳ１２０において所定値を下回る場合、照度監視部１１ａはステップＳ１３０において、測定された照度の値が所定値を下回るか否かを判定する。なお、ステップＳ１３０において用いられる所定値は、ステップＳ１２０で用いられる所定値と同じ値であってよいし、異なる値であってもよい。
【００５７】
所定値を下回らない場合、ステップＳ１１０に移行する。所定値を下回る場合、この判定結果を、受光動作制御部１１ｂに与える。判定結果を受けた受光動作制御部１１ｂはステップＳ１４０において、データ入出力部１９に含まれるＩｒＤＡポート１９ａの駆動停止を行う。駆動停止が実施されると、受光動作通知部１１ｃはステップＳ１５０において、ランプ２３を消灯させた後、ステップＳ１１０に移行する。
【００５８】
なお以上に説明した本処理は、例えば電子式フォトフレーム１の主電源が停止される等により機能停止するタイミングにおいて、終了する。或いは、ユーザが設定画面等を用いて、任意のタイミングで終了可能とする形態でもよい
以上に説明した本実施形態によれば、例えば電子式フォトフレーム１が設置された部屋が暗い室内のように、ユーザが電子式フォトフレーム１を閲覧する可能性が低い状況において、ユーザ操作を必要とすることなくＩｒＤＡポート１９ａを駆動停止することができる。このため、消費電力の低減を図ることができる。
【００５９】
また本実施形態によれば、ＩｒＤＡポート１９ａが駆動状態である場合にランプ２３を点灯させ、駆動停止状態である場合にランプ２３を消灯させる。このためユーザは、ＩｒＤＡポート１９ａの駆動状態を容易に確認することができる。
【００６０】
［実施の形態２］
〈２−１．内部構成について〉
実施の形態１と同内容であるため、ここでは説明を省略する。
〈２−２．機能部の構成について〉
ここで、本発明の第二の実施形態に係る電子式フォトフレーム１の受光動作制御処理を実施するための各機能部の関係を、図７の機能ブロック図を用いながら説明する。
【００６１】
本実施形態の受光動作制御処理は、図１に示す実施の形態１の構成要素に加えて、時計回路２２を含む構成により実現される。また、受光動作制御部１１ｂの機能が実施の形態１と一部異なる。
【００６２】
本実施形態の受光動作制御部１１ｂは、時計回路２２から得られる時間情報を使用して、ＩｒＤＡポート１９ａの間欠動作を行う。具体的には、ＩｒＤＡポート１９ａの駆動／駆動停止を切り替えるための指示変更タイミングを、時計回路２２を用いて生成する。なお指示変更タイミングは、例えば電子式フォトフレーム１の工場出荷時等において、予め定められてフラッシュメモリ２０等に記録されている。或いは、制御部１１が実行する制御プログラムの中に予め組み込まれている形態でもよい。
【００６３】
指示変更タイミングの一例としては、例えばＩｒＤＡポート１９ａが駆動開始されてから二十秒後と、ＩｒＤＡポート１９ａが駆動停止してから二分後とを指示変更タイミングとする。指示変更タイミングが到来すると、受光動作制御部１１ｂはＩｒＤＡポート１９ａの駆動／駆動停止を切り替える。これにより、周期的に駆動と駆動停止とを繰り返すことが可能である。
【００６４】
なお受光動作通知部１１ｃは実施の形態１と同様、ＩｒＤＡポート１９ａの駆動時は点灯、ＩｒＤＡポート１９ａの駆動停止時は消灯するようにランプ２３を制御する。このため、結果としてランプ２３の点灯／消灯動作も、指示変更タイミングにおいて切り替えられ、間欠動作することとなる。
【００６５】
また本実施形態の受光動作制御部１１ｂは、照度監視部１１ａより得られる照度検知結果に基づき、動作モードを変更する。本実施形態では、照度が所定値を上回る場合は第一動作モード、下回る場合は第二動作モードで動作するものとする。
【００６６】
例えば第一動作モードでは、ＩｒＤＡポート１９ａの駆動を二十秒間、ＩｒＤＡポート１９ａの駆動停止を二分間行うものとする。また例えば第二動作モードでは、ＩｒＤＡポート１９ａの駆動を二十秒間、ＩｒＤＡポート１９ａの駆動停止を五分間行うものとする。この結果、動作モードによって駆動停止時間に変化が生じるため、状況に応じた間欠動作を行うことができる。
〈２−３．電子式フォトフレームの外観について〉
実施の形態１と同内容であるため、ここでは説明を省略する。
〈２−４．受光動作制御処理について〉
ここで、本発明の第二の実施形態に係る電子式フォトフレーム１の受光動作制御処理を、図７のブロック図と、図８のフロー図とを用いながら説明する。
【００６７】
図８は、本発明に係る受光動作制御処理の処理フローを示したフローチャートである。本処理は、電子式フォトフレーム１の主電源が起動された場合に開始される。
【００６８】
本処理の開始後、照度監視部１１ａはステップＳ２１０において、照度センサ２１により電子式フォトフレーム１周辺の照度の測定を行う。次に照度監視部１１ａはステップＳ２２０において、測定された照度の値が所定値を上回るか否かを判定する。
【００６９】
所定値を上回る場合、この判定結果を、受光動作制御部１１ｂに与える。判定結果を受けた受光動作制御部１１ｂはステップＳ３１０において、動作モードを第一動作モードに移行する。なお、既に第一動作モードである場合は動作モードの移行を行わない。
【００７０】
次に受光動作制御部１１ｂステップＳ３２０において、現在のＩｒＤＡポート１９ａの動作状態と、時計回路２２により得られる時間情報とから、予め定められている第一動作モード用の指示変更タイミングが到来したか否かを判定する。
【００７１】
指示変更タイミングが到来していない場合、ステップＳ２１０に移行する。指示変更タイミングが到来した場合、受光動作制御部１１ｂはステップＳ３３０において、ＩｒＤＡポート１９ａの動作状態を変更する。つまり、駆動状態である場合は駆動停止状態に、駆動停止状態である場合は駆動状態に変更する。
【００７２】
次に受光動作通知部１１ｃはステップＳ３４０において、ＩｒＤＡポート１９ａの状態に応じたランプ２３の点灯／消灯を行った後、ステップＳ２１０に移行する。
【００７３】
ステップＳ２２０に戻って説明を行うと、ステップＳ２２０において所定値を下回ると判定された場合、照度監視部１１ａはこの判定結果を、受光動作制御部１１ｂに与える。判定結果を受けた受光動作制御部１１ｂはステップＳ２３０において、動作モードを第二動作モードに移行する。なお、既に第二動作モードである場合はモードの移行を行わない。
【００７４】
次に受光動作制御部１１ｂはステップＳ２３０において、現在のＩｒＤＡポート１９ａの動作状態と、時計回路２２により得られる時間情報とから、予め定められている第二動作モード用の指示変更タイミングが到来したか否かを判定する。
【００７５】
指示変更タイミングが到来していない場合、ステップＳ２１０に移行する。指示変更タイミングが到来した場合、受光動作制御部１１ｂはステップＳ２５０において、ＩｒＤＡポート１９ａの状態を変更する。つまり、駆動状態である場合は駆動停止状態に、駆動停止状態である場合は駆動状態に変更する。
【００７６】
次に受光動作通知部１１ｃはステップＳ２６０において、ＩｒＤＡポート１９ａの状態に応じたランプ２３の点灯／消灯を行った後、ステップＳ２１０に移行する。
【００７７】
なお以上に説明した本処理は、例えば電子式フォトフレーム１の主電源が停止される等により機能停止するタイミングにおいて、終了する。或いは、ユーザが設定画面等を用いて、任意のタイミングで終了可能とする形態でもよい。
【００７８】
以上に説明した本実施形態によれば、受光動作制御部１１ｂは予め定められた指示変更タイミングにより、ＩｒＤＡポート１９ａに与える指示内容を変更する。これにより、ＩｒＤＡポート１９ａの間欠動作を行うことが可能である。このため、常にＩｒＤＡポート１９ａを駆動している場合と比較して駆動時間が短くなるため、消費電力の低減を図ることができる。
【００７９】
また本実施形態によれば、照度センサ２１により検知された照度に基づいて、受光動作制御部１１ｂの動作モードを変更する。動作モードが変われば、受光動作制御部１１ｂの指示変更タイミングも変化する。このため、動作モードに応じて、ＩｒＤＡポート１９ａの駆動時間も変化する。このように、照度に応じて省電力を優先するか、或いは駆動時間を優先するかを自動的に切り替えることができるため、利便性が向上する。
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００８０】
従って本発明は、以下の形態にも適用可能である。
【００８１】
（Ａ）上記の実施形態では、受光動作制御処理に関わる各種機能部が、マイクロプロセッサ等の演算処理装置上でプログラムを実行することにより実現されているが、各種機能部が複数の回路により実現される形態でもよい。
【００８２】
（Ｂ）上記の実施形態では、受光動作制御処理を実施する表示装置として電子式フォトフレーム１を例として説明しているが、これ以外の装置において本発明を用いる形態でもよい。例えば、カーナビ、ポータブルテレビ、パソコン用モニタ等において用いる形態であってもよい。
【００８３】
（Ｃ）上記の実施形態では、照度センサ２１による照度の検知結果に基づいてＩｒＤＡポート１９ａの駆動制御を行っているが、この他のセンサを用いてユーザが電子式フォトフレーム１の周辺にいるか否かを検知し、検知結果に基づいてＩｒＤＡポート１９ａの駆動制御を行う形態でもよい。例えば生体センサ、移動体検知センサ、赤外線センサ等によりユーザが検知された場合にＩｒＤＡポート１９ａを駆動し、検知されなかった場合にＩｒＤＡポート１９ａを駆動停止する。これにより、ユーザが近傍に存在しない場合において、ＩｒＤＡポート１９ａが消費する電力を低減できる。また、感知結果に基づいて熟考動作制御部の動作モードを変更する形態でもよい。
【００８４】
（Ｄ）上記の実施形態では、照度センサ２１による照度が所定値を上回る場合にＩｒＤＡポート１９ａを駆動、下回る場合に駆動停止しているが、この駆動状態を逆にしてもよい。即ち、所定値を上回る場合にＩｒＤＡポート１９ａを駆動停止、下回る場合に駆動する形態でもよい。これにより、例えばユーザが、就寝中の寝室のような暗い場所で電子式フォトフレーム１を使用することが多い場合において、省電力を図ることができる。なお、上記のように駆動状態を逆にするか否かをユーザ設定により適宜変更できる形態であってもよい。
【００８５】
（Ｅ）上記の実施形態では、間欠動作における指示変更タイミングの一例として、ＩｒＤＡポート１９ａが駆動開始されてから二十秒後と、ＩｒＤＡポート１９ａが駆動停止してから二分後とを例に説明を行っているが、この値は運用の形態にあわせて適宜変更可能である。また、駆動状態において画像データを受信した場合、受信画像の自動表示が実施されるため、ＩｒＤＡポート１９ａの駆動時間を一時的に延長する形態でもよい。
【００８６】
（Ｆ）上記の第二の実施形態では、照度センサ２１により得られた照度により受光動作制御部１１ｂの動作モードを決定しているが（図８のステップＳ２２０）、時計回路２２により得られた現在時刻に基づいて、受光動作制御部１１ｂの動作モードを決定する形態でもよい。これによれば、時刻に応じて省電力を優先するか、或いは駆動時間を優先するかを自動的に切り替えることができるため、利便性が向上する。
【図面の簡単な説明】
【００８７】
【図１】第一実施形態の表示装置が備える機能部の構成を示す機能ブロック図である。
【図２】本発明の表示装置の内部構成を示すブロック図である。
【図３】本発明の表示装置の外観を示す前面図である。
【図４】本発明の表示装置の外観を示す上面図である。
【図５】本発明の表示装置の外観を示す背面図である。
【図６】第一実施形態の受光動作制御処理の処理フローを示すフロー図である。
【図７】第二実施形態の表示装置が備える機能部の構成を示す機能ブロック図である。
【図８】第二実施形態の受光動作制御処理の処理フローを示すフロー図である。
【符号の説明】
【００８８】
１      電子式フォトフレーム（表示装置）
１１    制御部
１１ａ  照度監視部
１１ｂ  受光動作制御部
１１ｃ  受光動作通知部
１９ａ  ＩｒＤＡポート（赤外線受光部）
２１    照度センサ
２２    時計回路（計時部）
２３    ランプ（点滅部）
【図１】
2010061496.tif 000003
【図２】
2010061496.tif 000004
【図３】
2010061496.tif 000005
【図４】
2010061496.tif 000006
【図５】
2010061496.tif 000007
【図６】
2010061496.tif 000008
【図７】
2010061496.tif 000009
【図８】
2010061496.tif 000010